(57)【要約】【課題】安価で、融通性のあるカメラモジュールを提供すること。【解決手段】本発明のカメラモジュールにおいて、サイド電極９ａを設けた凹部８がケース１外に突出しているため、ソケット１３の接触片１５がケース１に邪魔されることなくサイド電極９ａに接触でき、また、係止部４には、ソケット１３の掛止め腕部１６ｂが係止できるため、ソケット対応にも兼用できて、安価で、融通性のあるものが得られる。【選択図】図１
2007174545.tif 000002
【特許請求の範囲】
【請求項１】
レンズを保持した筒状のケースと、このケースの下部に取り付けられ、側面に複数個の凹部が設けられた絶縁基板と、前記凹部内に設けられたサイド電極を有した状態で、前記絶縁基板に形成された導電パターンと、前記ケース内に位置した状態で前記絶縁基板に取り付けられ、前記導電パターンに接続された撮像素子とを備え、前記凹部は、前記ケース外に突出した状態で配置されると共に、前記ケースの下部には、ソケットを掛止め可能な係止部が前記凹部を塞がない位置に設けられたことを特徴とするカメラモジュール。
【請求項２】
前記ケースは、筒状部と、この筒状部の下部から延びて前記絶縁基板上に載置される凸部を有し、この凸部によって前記係止部が形成されたことを特徴とする請求項１記載のカメラモジュール。
【請求項３】
前記凸部が前記絶縁基板の隅部に配置されたことを特徴とする請求項２記載のカメラモジュール。
【請求項４】
前記ケースの下部の外形は、前記絶縁基板の外形よりも小さく形成され、前記ケースの下部が前記絶縁基板の外形内に配置されたことを特徴とする請求項１から３の何れか１項に記載のカメラモジュール。
【請求項５】
絶縁材からなる環状の枠体と、この枠体に取り付けられ、前記枠体内に位置した複数の接触片と、前記枠体内に延びる掛止め腕部とを有するソケットを備え、前記枠体内に配置された前記絶縁基板された際、前記凹部内の前記サイド電極が前記接触片に接触すると共に、前記掛止め腕部が前記係止部を掛止めするようにしたことを特徴とする請求項１から４の何れか１項に記載のカメラモジュール。
【請求項６】
前記掛止め腕部は、バネ性のある金属板で形成されたことを特徴とする請求項５記載のカメラモジュール。
【請求項７】
前記掛止め腕部は、前記枠体の隅部近傍に配置されたことを特徴とする請求項５、又は６記載のカメラモジュール。
【発明の詳細な説明】
【技術分野】
【０００１】
本発明は、携帯電話機等に使用して好適なカメラモジュールに関するものである。
【背景技術】
【０００２】
従来のカメラモジュールに係る図面を説明すると、図８は従来のカメラモジュールに係る要部分解斜視図、図９は従来のカメラモジュールに係る要部断面図である。
【０００３】
次に、従来のカメラモジュールの構成を図８，図９に基づいて説明すると、全体が筒状をなしたケース５１は、四角状の箱状部５２と、この箱状部５２の中央部から上方に延びる円筒部５３を有する。
【０００４】
この円筒部５３には、内部に配置されたレンズ５４が絞り部５５によって取り付けられると共に、箱状部５２内には、赤外線除去フィルタ５６が取り付けられている。
【０００５】
四角形状の絶縁基板５７は、側面に形成された複数の凹部５８を有し、この絶縁基板５７には、導電パターン５９が設けられると共に、この導電パターン５９は、凹部５８内に設けられたサイド電極５９ａを有する。
【０００６】
また、撮像素子６０は、絶縁基板５７上に取り付けられ、この撮像素子６０は、ワイヤ６１によって導電パターン５９に接続されており、そして、絶縁基板５７は、撮像素子６０を箱状部５２内に位置した状態で、箱状部５２の下部に取り付けられて、従来のカメラモジュールが形成されている（例えば、特許文献１参照）。
【０００７】
このような構成を有する従来のカメラモジュールは、図９に示すように、絶縁基板５７が所望の電気回路を形成した回路基板６２上に載置され、導電パターン５９がサイド電極５９ａの位置で回路基板６２に半田６３付けされて、接続されるようになっている。
【０００８】
即ち、従来のカメラモジュールは、絶縁基板５７の導電パターン５９が直接、回路基板６２に接続されるもので、絶縁基板５７の導電パターン５９がソケットを介して回路基板６２に接続され、ソケット対応はしておらず、ソケット対応のカメラモジュールを別に製造する必要がある。
【特許文献１】特開２００４−８８１８１号公報
【発明の開示】
【発明が解決しようとする課題】
【０００９】
従来のカメラモジュールにあっては、ソケット無し専用のものとなっているため、ソケット対応のものを別に用意する必要が生じ、コスト高で、融通性がないという問題がある。
【００１０】
本発明は、このような従来技術の実情に鑑みてなされたもので、その目的は、安価で、融通性のあるカメラモジュールを提供することにある。
【課題を解決するための手段】
【００１１】
上記の目的を達成するために、本発明は、レンズを保持した筒状のケースと、このケースの下部に取り付けられ、側面に複数個の凹部が設けられた絶縁基板と、凹部内に設けられたサイド電極を有した状態で、絶縁基板に形成された導電パターンと、ケース内に位置した状態で絶縁基板に取り付けられ、導電パターンに接続された撮像素子とを備え、凹部は、ケース外に突出した状態で配置されると共に、ケースの下部には、ソケットを掛止め可能な係止部が凹部を塞がない位置に設けられたことを特徴としている。
【００１２】
このように構成した本発明は、サイド電極を設けた凹部がケース外に突出しているため、ソケットの接触片がケースに邪魔されることなくサイド電極に接触でき、また、係止部には、ソケットの掛止め腕部が係止できるため、ソケット対応にも兼用できて、安価で、融通性のあるものが得られる。
【００１３】
また、本発明は、上記発明において、ケースは、筒状部と、この筒状部の下部から延びて絶縁基板上に載置される凸部を有し、この凸部によって係止部が形成されたことを特徴としている。このように構成した本発明は、係止部である凸部が小さく、簡単に形成できて、ケースの小型化が図れる上に、安価なものが得られる。
【００１４】
また、本発明は、上記発明において、凸部が絶縁基板の隅部に配置されたことを特徴としている。このように構成した本発明は、凸部が凹部の存在しない隙間に容易に配置できると共に、ソケットの掛止め腕部が接触片から退避した位置に容易に配置できて、生産性の良好なものが得られる。
【００１５】
また、本発明は、上記発明において、ケースの下部の外形は、絶縁基板の外形よりも小さく形成され、ケースの下部が絶縁基板の外形内に配置されたことを特徴としている。このように構成した本発明は、絶縁基板に対するケースの位置が若干ずれた場合でも、ケースによる凹部の塞がれが防止でき、ソケット対応に好適で、生産性の良好なものが得られる。
【００１６】
また、本発明は、上記発明において、絶縁材からなる環状の枠体と、この枠体に取り付けられ、枠体内に位置した複数の接触片と、枠体内に延びる掛止め腕部とを有するソケットを備え、枠体内に配置された絶縁基板された際、凹部内のサイド電極が接触片に接触すると共に、掛止め腕部が係止部を掛止めするようにしたことを特徴としている。
【００１７】
このように構成した本発明は、接触片がケースに邪魔されることなくサイド電極に確実に接触できると共に、掛止め腕部が係止部を掛止めするすることによって、ソケット対応が簡単な構成によってできる。
【００１８】
また、本発明は、上記発明において、掛止め腕部は、バネ性のある金属板で形成されたことを特徴としている。このように構成した本発明は、掛止め腕部が繰り返し変形に耐え、長寿命のものが得られる。
【００１９】
また、本発明は、上記発明において、掛止め腕部は、枠体の隅部近傍に配置されたことを特徴としている。このように構成した本発明は、掛止め腕部が接触片から退避した位置に容易に配置できて、小型で、生産性の良好なものが得られる。
【発明の効果】
【００２０】
本発明は、ソケット無しとソケット付きの双方に対応できて、安価で、融通性のあるものが得られる。
【発明を実施するための最良の形態】
【００２１】
発明の実施の形態について図面を参照して説明すると、図１は本発明のカメラモジュールに係り、ソケット付きの平面図、図２は本発明のカメラモジュールに係り、ソケット付きの要部断面図、図３は本発明のカメラモジュールに係り、ソケットへの取付状態を示す要部断面図である。
【００２２】
また、図４は本発明のカメラモジュールに係り、ケースと絶縁基板の関係を示す斜視図、図５は本発明のカメラモジュールに係り、ケースと絶縁基板の関係を示す平面図、図６は本発明のカメラモジュールに係るソケットの平面図、図７は本発明のカメラモジュールに係り、ソケット無しの要部断面図である。
【００２３】
次に、本発明のカメラモジュールに係る構成を図１〜図７に基づいて説明すると、本発明のカメラモジュールは、筒状のケース１と、支持部材５を介してケース１に保持されたレンズ６と、撮像素子１０が取り付けられた絶縁基板７と、ソケット１３とで主部材が形成されている。
【００２４】
全体が筒状をなしたケース１は、四角状の箱状部（筒状部）２と、この箱状部２の中央部から上方に延びる円筒部３と、箱状部２の下部から外方に突出した鍔状の凸部からなる係止部４を有し、この係止部４は、箱状部２の側面に沿って延びる板状部４ａと、箱状部２の隅部から突出する係止片４ｂを有する。
【００２５】
支持部材５は、中央部に孔５ａが設けられ、この支持部材５には、レンズ６が取り付けられると共に、支持部材５が円筒部３に取り付けられ、レンズ６は、支持部材５を介してケース１に取り付けられる。
【００２６】
四角形状の絶縁基板７は、側面に形成された複数の凹部８を有し、この絶縁基板７には、導電パターン９が設けられると共に、この導電パターン９は、凹部８内に設けられたサイド電極９ａを有する。
【００２７】
撮像素子１０は、絶縁基板７の中央部上に取り付けられ、この撮像素子１０は、ワイヤ１１によって導電パターン９に接続されており、そして、絶縁基板７は、撮像素子１０を箱状部２内に位置した状態で、箱状部２の下部に取り付けられている。なお、導電パターン９は絶縁基板７の内層にあっても良い。
【００２８】
また、ケース１の下部（係止部４を含む箱状部２の下部）の外形は、絶縁基板７の外形の外形よりも小さく形成されており、絶縁基板７がケース１の取り付けられた際、ケース１の下部（係止部４）は、絶縁基板７の凹部８を塞がない位置で絶縁基板７の外形内に配置されると共に、係止部４の係止片４ｂが絶縁基板７の隅部に配置された状態となっている。
【００２９】
箱状部２内には、赤外線除去フィルタ１２が取り付けられ、この赤外線除去フィルタ１２は、レンズ６と撮像素子１０との間に配設されている。
【００３０】
ソケット１３は、環状の四角形からなる枠体１４と、この枠体１４の取り付けられた複数の接触片１５と、枠体１４の取り付けられ、掛止め腕部１６ｂを有する取付部材１６とで形成されている。
【００３１】
枠体１４は、樹脂（絶縁材）の成形品で形成され、環状の基部１４ａと、基部１４ａ内の底部に設けられた四角形の底板１４ｂと、この底部１４ｂの隅部と基部１４ａの隅部を繋ぐ連結部１４ｃを有し、底板１４ｂは、連結部１４ｃによって上方に持ち上げられた状態となっている。
【００３２】
接触片１５は、バネ性のある金属板からなり、接触部１５ａと、端子部１５ｂを有し、この接触片１５は、接触部１５ａと端子部１５間が基部１４ａに埋設して取り付けられ、接触部１５ａが基部１４ａ内に突出すると共に、端子部１５ｂが基部１４ａの下部に配置されている。
【００３３】
取付部材１６は、バネ性のある金属板からなり、環状の取付部１６ａと、この取付部１６ａの上端部から折り曲げられた複数の掛止め腕部１６ｂを有し、この取付部材１６は、取付部１６ａが基部１４ａの外周に巻き回されて取り付けられると共に、掛止め腕部１６ｂは、枠体１４の隅部近傍に位置して、基部１４ａ内に突出している。
【００３４】
このように構成されたソケット１３の枠体１４内に、絶縁基板７が挿入されると、掛止め腕部１６ｂは、絶縁基板７によって基部１４ａ側に押圧されると共に、接触片１４の接触部１４ａが凹部８内のサイド電極９ａに弾性を持って接触する。
【００３５】
更に、絶縁基板７の挿入を続けると、絶縁基板７の下面は、連結部１４のバネ性に抗して底板１４ｂを押圧すると共に、その押圧途上において、掛止め腕部１６ｂは、絶縁基板７から外れて、図３に示すように、係止片４ｂに係止される。
【００３６】
これによって、図３に示すように、ケース１と絶縁基板７は、掛止め腕部１６ｂと底板１４ｂとに挟持された状態で保持されると共に、図２に示すように、接触片１５は、凹部８によって位置決めされた状態でサイド電極９ａに接触した状態となる。
【００３７】
なお、上記実施例では、掛止め腕部１６ｂが係止部４の係止片４ｂに係止するもので説明したが、掛止め腕部１６ｂが板状部４ａに係止するようにしても良い。
【００３８】
このような構成を有する本発明のカメラモジュールは、図２に示すように、ソケット１３が所望の電気回路を形成した回路基板１７上に載置され、接触片１５の端子部１５ｂが回路基板１７に半田１８付けされて、接続されるようになっている。
【００３９】
また、図７は、ソケット１３無しのカメラモジュールを示し、このソケット１３無しのカメラモジュールは、図７に示すように、絶縁基板７が回路基板１７上に載置され、導電パターン９がサイド電極９ａの位置で回路基板１７に半田１８付けされて、接続されるようになっている。
【００４０】
その他の構成は、上記実施例と同様の構成を有し、同一部品に同一番号を付し、ここではその説明を省略する。
【図面の簡単な説明】
【００４１】
【図１】本発明のカメラモジュールに係り、ソケット付きの平面図である。
【図２】本発明のカメラモジュールに係り、ソケット付きの要部断面図である。
【図３】本発明のカメラモジュールに係り、ソケットへの取付状態を示す要部断面図である。
【図４】本発明のカメラモジュールに係り、ケースと絶縁基板の関係を示す斜視図である。
【図５】本発明のカメラモジュールに係り、ケースと絶縁基板の関係を示す平面図である。
【図６】本発明のカメラモジュールに係るソケットの平面図である。
【図７】本発明のカメラモジュールに係り、ソケット無しの要部断面図である。
【図８】従来のカメラモジュールに係る要部分解斜視図である。
【図９】従来のカメラモジュールに係る要部断面図である。
【符号の説明】
【００４２】
１  ケース
２  箱状部（筒状部）
３  円筒部
４  係止部
４ａ  板状部
４ｂ  係止片
５  支持部材
５ａ  孔
６  レンズ
７  絶縁基板
８  凹部
９  導電パターン
９ａ  サイド電極
１０  撮像素子
１１  ワイヤ
１２  赤外線除去フィルタ
１３  ソケット
１４  枠体
１４ａ  基部
１４ｂ  底板
１４ｃ  連結部
１５  接触片
１５ａ  接触部
１５ｂ  端子部
１６  取付部材
１６ａ  取付部
１６ｂ  掛止め腕部
１７  回路基板
１８  半田
【図１】
2007174545.tif 000003
【図２】
2007174545.tif 000004
【図３】
2007174545.tif 000005
【図４】
2007174545.tif 000006
【図５】
2007174545.tif 000007
【図６】
2007174545.tif 000008
【図７】
2007174545.tif 000009
【図８】
2007174545.tif 000010
【図９】
2007174545.tif 000011